(57)【要約】【課題】術者の手首等にかかる負担を軽減すると共に、ホースを安価な簡単な構造で回動可能にすることができる歯科診療用ハンドピースを提供することを課題とする。【解決手段】歯科診療用ハンドピース１００は、流体通路または電気配線として使用される複数のチューブ１と、前記複数のチューブ１を挿通したホース２と、前記複数のチューブ１の各前端部がそれぞれ接続されるコネクタ６と、前記ホース２の前端に固定された止めリング３と、前記止めリング３と前記コネクタ６とを覆うカバー７と、を備えている。前記止めリング３と、前記コネクタ６とは、軸方向に分離して配置されている。【選択図】図１
2019126537.tif 000002
【特許請求の範囲】
【請求項１】
流体通路または電気配線として使用される複数のチューブと、
前記複数のチューブを挿通したホースと、
前記複数のチューブの各前端部がそれぞれ接続されるコネクタと、
前記ホースの前端に固定された止めリングと、
前記止めリングと前記コネクタとを覆うカバーと、を備えた歯科診療用ハンドピースであって、
前記止めリングと、前記コネクタとは、軸方向に分離して配置されていること、
を特徴とする歯科診療用ハンドピース。
【請求項２】
前記止めリングは、前記カバー内に進退・回転可能に配置され、
前記カバーは、前記コネクタの外周部に連結されていること、
を特徴とする請求項１に記載の歯科診療用ハンドピース。
【請求項３】
前記ホースは、網目状に形成されていること、
を特徴とする請求項１または請求項２に記載の歯科診療用ハンドピース。
【請求項４】
前記ホースは、前記複数のチューブの外周部に隙間を介して外装されて、当該ホースを捩じっても元の状態に自動復帰する弾性力を有していること、
を特徴とする請求項１から請求項３のうちのいずれか１項に記載の歯科診療用ハンドピース。
【請求項５】
前記ホースは、前後方向に伸縮可能な樹脂製の部材によって形成されていること、
を特徴とする請求項１から請求項４のうちのいずれか１項に記載の歯科診療用ハンドピース。
【発明の詳細な説明】
【技術分野】
【０００１】
本発明は、歯科診療用ハンドピースに関する。
【背景技術】
【０００２】
一般に、歯科診療用ハンドピースには、吸気チューブ、排気チューブ、給水チューブ、チップエアー用チューブ等の複数のチューブと、それらのチューブを覆うホース（外皮チューブ）と、が接続されている（特許文献１参照）。
【０００３】
各チューブの前端部は、ジョイントカバーに内嵌された硬質樹脂製のコネクタの後端面から突設された複数のタケノコ状パイプジョイントに装着されている。ホースは、コネクタの後端面の外縁に突設された突出部に外嵌させると共に、真鍮製のジョイントカバーの厚肉部と、軟質樹脂製のホースガイドのテーパ部と、で押え付けることで、コネクタに連結されている。
【０００４】
また、可撓性チューブを回転可能としたものとしては、例えば、特許文献２に記載された歯科治療器具が知られている。その歯科治療器具は、可撓性チューブの先端に設けた連結筒と、外挿管、中間リング及びカバーリングから成る一体物と、の間にボールベアリングを介在させて、可撓性チューブを回動可能に配置している。
【先行技術文献】
【特許文献】
【０００５】
【特許文献１】実用新案登録第３０４０６３９号公報（図３）
【特許文献２】特許第２５３７３５８号公報（第１図、第２図）
【発明の概要】
【発明が解決しようとする課題】
【０００６】
しかし、特許文献１に記載の歯科診療用ハンドピースは、ホース（外皮チューブ）をコネクタの後端部に固定しているので、診療時に、タービンの動きが直接ホースに伝わるという問題点があった。
このため、歯科診療用ハンドピースは、術者の手の動きがホースに伝わって捩じれたり、金属製のジョントカバー等の重さによって引っ張られたりして、突っ張った感覚が術者の手に伝わるという問題点があった。
【０００７】
また、特許文献２に記載された歯科治療器具は、可撓性チューブを回動自在にするためのボールベアリングを設けたことによって、ボールベアリングの内輪及び外輪をそれぞれ固定する部材が必要となる。このため、歯科治療器具は、構造が複雑化すると共に、部品点数及び組付工数が増加して、コストアップになるという問題点があった。
【０００８】
そこで、本発明は、術者の手首等にかかる負担を軽減すると共に、ホースを安価な簡単な構造で回動可能にすることができる歯科診療用ハンドピースを提供することを課題とする。
【課題を解決するための手段】
【０００９】
前記課題を解決するため、本発明に係る歯科診療用ハンドピースは、流体通路または電気配線として使用される複数のチューブと、前記複数のチューブを挿通したホースと、前記複数のチューブの各前端部がそれぞれ接続されるコネクタと、前記ホースの前端に固定された止めリングと、前記止めリングと前記コネクタとを覆うカバーと、を備えた歯科診療用ハンドピースであって、前記止めリングと、前記コネクタとは、軸方向に分離して配置されていることを特徴とする。
【発明の効果】
【００１０】
本発明は、術者の手首等にかかる負担を軽減すると共に、ホースを安価な簡単な構造で回動可能にすることができる歯科診療用ハンドピースを提供することができる。
【図面の簡単な説明】
【００１１】
【図１】本発明の実施形態に係る歯科診療用ハンドピースの要部断面図である。
【図２】本発明の実施形態に係る歯科診療用ハンドピースの要部拡大断面図である。
【図３】ホースの一例を示す要部拡大側面図である。
【図４】本発明の実施形態に係る歯科診療用ハンドピースの要部分解拡大断面図である。
【発明を実施するための形態】
【００１２】
まず、図１〜図４を参照して、本発明の実施形態に係る歯科診療用ハンドピース１００について説明する。
なお、本実施形態では、図１に示す歯科診療用ハンドピース１００において、胴部５側を前方向、ホース２側を後方向として説明する。また、各部品においても同様とする。
【００１３】
≪歯科診療用ハンドピース≫
図１に示す歯科診療用ハンドピース１００は、歯科の治療に用いられる医療機器である。歯科診療用ハンドピース１００は、後端部に配置されたチューブ１、ホース２及び止めリング３と、これらの先端側に配置された接続部４と、接続部４の先端側に配置された胴部５と、胴部５の先端側に配置された不図示のハンドピースヘッドと、を備えている。
その歯科診療用ハンドピース１００は、チューブ１及びホース２を不図示の歯科用ユニットに接続して、所望の切削工具をハンドピースヘッドに取り付けて使用する。歯科診療用ハンドピース１００は、エアを供給することによってロータ（図示省略）が回転駆動されることで、切削工具（図示省略）が回転して歯科患者の口腔内の患部を治療することが可能となっている。
【００１４】
なお、歯科診療用ハンドピース１００は、機能、構造等は特に限定されない。つまり、歯科診療用ハンドピース１００は、種々のタイプの胴部５及びハンドピースヘッド（図示省略）を備えているものでもよい。
【００１５】
≪チューブ≫
図２に示すように、チューブ１は、流体通路として使用される複数の管体である。チューブ１は、例えば、２本の空気給排水用の大径管状部材と、２本の液体給排水用の小径管状部材と、の合計４本のチューブ１１〜１４から成るが、その数及び使用用途は適宜変更しても構わない。チューブ１は、前端がコネクタ６等を介してハンドピースヘッド（図示省略）に接続され、後端が歯科用ユニットの制御駆動装置に接続されている。チューブ１は、ウレタン等の樹脂によって形成された管状部材から成る。
チューブ１１〜１４の前側開口部内には、コネクタ６の雌ネジ部６ａにそれぞれ螺着された管状継手６１が内嵌されている。管状継手６１が内嵌されたチューブ１１〜１４の外周面には、４本のチューブ１１〜１４を集束させるための脱落防止クリップ１０が取り付けられている。
【００１６】
大径のチューブ１１，１２は、例えば、ロータ（図示省略）を回転させるための圧縮空気供給用のチューブ材と、圧縮空気排気用のチューブ材と、の２本から成る。
また、小径のチューブ１３，１４は、例えば、水を供給するための水供給用のチューブ材と、その水と共にエアを供給してミスト（霧）を生成するためのチップ用エアを供給するパイプ材と、の２本から成る。この２本の小径のチューブ１３，１４は、切削工具（図示省略）を冷却して作業効率をよくしたり、また、治療中に血液などで汚れた患部を視認し易くしたりする目的で、異物等を吹き飛ばすために使用される。小径のチューブ１３，１４は、大径のチューブ１１，１２よりも小径に形成されている。
【００１７】
≪管状継手≫
管状継手６１は、それぞれのチューブ１の先端部をコネクタ６にそれぞれ連結するための４本の部材から成る。管状継手６１は、先側の外周面に形成されて雌ネジ部６ａに螺着する雄ネジ部６１ａと、後側の外周面に形成された脱落防止用の鋸歯状の凹凸部６１ｂと、を有した樹脂製の管状部材から成る。
【００１８】
≪ホース≫
図２に示すように、ホース２は、複数のチューブ１を挿通して覆った管状部材である。ホース２は、前後方向に伸縮可能な樹脂製の部材によって形成されている。そのホース２の樹脂部材には、例えば、ポリエチレンテレフタレート、ポリアミド、ポリテトラフルオロエチレン、ポリフェニレンサルファイドなどの樹脂が考えられるが、熱硬化性樹脂、熱可塑性樹脂など樹脂の部材には限定されない。
ホース２は、例えば、図３に示すように、軸方向に対して前方向に斜め前上がりに配置された樹脂製の糸状部材２ａと、軸方向に対して前方向に斜め前下がりに配置された樹脂製の糸状部材２ｂと、を交差させて連結して網目状に形成された円筒体から成る。図２に示すように、ホース２は、複数のチューブ１の外周部に隙間Ｓ１を介して外装されて、遊嵌状態に外嵌されている。このため、ホース２は、捩じっても、元の状態に自動復帰する弾性力を有している。
【００１９】
≪接続部≫
図１に示すように、接続部４は、胴部５の後端部と、チューブ１及びホース２の前端部と、を連結する部位である。接続部４には、止めリング３と、管状継手６１と、コネクタ６と、カバー７（第１カバー部材７１及び第２カバー部材７２）と、ジョイント部材８と、連結部材９と、パイプＰと、が設けられている。
【００２０】
＜止めリング＞
止めリング３は、ホース２の前端に固定された略円筒状の樹脂製部材である。止めリング３は、ホース２の前端部を内側から支持する内側リング３１と、この内側リング３１に外嵌されてホース２の前端部を外側から支持する外側リング３２と、を備えて構成されている。止めリング３と、コネクタ６とは、軸方向に離間して配置されている。止めリング３は、カバー７（第２カバー部材７２）内に進退・回転可能に配置されている。
【００２１】
図２に示すように、内側リング３１の外周面には、前端部寄りの位置に形成された雄ネジ部３１ａと、後端部に形成された外側凸部３１ｂと、が形成されている。
外側リング３２の内壁面には、前端部に形成されて雄ネジ部３１ａに螺合する雌ネジ部３２ａと、後端部に形成されて外側凸部３１ｂに対向配置された内側凸部３２ｂと、が形成されている。
【００２２】
内側リング３１の外側凸部３１ｂと、外側リング３２の内側凸部３２ｂとは、ホース２の前端部を内側と外側とから挟み込んで固定する固定箇所である。内側リング３１と外側リング３２とは、雄ネジ部３１ａと雌ネジ部３２ａとを螺合することによって一体化されて、ホース２の前端部を内側と外側とから挟み込んだ状態を保持している。
【００２３】
＜コネクタ＞
コネクタ６は、複数のチューブ１の各前端部と、複数のパイプＰの後端部と、を接続するための接続部材である。コネクタ６は、中空状の円柱形状の樹脂製部材から成る。コネクタ６の内側には、後端部に形成された雌ネジ部６ａから前側に順に、貫通孔６ｂと、パイプ装着孔６ｃと、パイプ固定部装着部６ｄと、切欠部６ｆと、内側先端部に形成された係止部６ｅと、が連続形成されている。コネクタ６の外側には、後端部に形成された雄ネジ部６ｇと、前端部に形成された係止凸部６ｈと、ジョイント部材８及び付勢部材ＳＰが配置される外周面と、が形成されている。
【００２４】
雌ネジ部６ａは、４つのネジ穴から成る。
図１及び図４に示すように、貫通孔６ｂは、雌ネジ部６ａとパイプ装着孔６ｃとに連通する孔であって、チューブ１及びパイプＰを流れる流体の流路を構成している。
パイプ装着孔６ｃは、それぞれのパイプＰの後端部がそれぞれ装着される孔である。
【００２５】
図４に示すように、パイプ固定部装着部６ｄは、４本のパイプＰを保持する連結部材９が装着される空間である。
係止部６ｅは、コネクタ６の先端部に形成された複数の舌片状の弾性係止片である。係止部６ｅには、連結部材９の外側前端部がワンタッチで係止されて保持されるようになっている。
【００２６】
図２に示すように、切欠部６ｆは、コネクタ６の後端部から前側に突出した複数の係止部６ｅ間に形成されて、係止部６ｅを径方向に弾性変形し易くするための溝である。
雄ネジ部６ｇは、第１カバー部材７１の雌ネジ部７１ａに螺合して、第１カバー部材７１の前端部をコネクタ６に固定するための固定部位である。
係止凸部６ｈは、ジョイント部材８の前側開口内縁に形成された段差部８ａが係止する部位である。係止凸部６ｈは、係止部６ｅの外周面側に突出形成されている。
【００２７】
＜カバー＞
カバー７は、ホース２の先端の止めリング３と、チューブ１の先端の管状継手６１と、コネクタ６の後端部と、を覆う円筒状の部材から成る。カバー７は、コネクタ６の外周部に連結された第１カバー部材７１と、第１カバー部材７１の後側に連結された第２カバー部材７２と、を備えて成る。カバー７、ホース２、止めリング３、及び、コネクタ６は、チューブ１よりも摩擦抵抗（摩擦抵抗係数）の小さい部材（合成樹脂）によって形成されている。摩擦抵抗の小さい合成樹脂としては、例えば、ポリアセタール、ポリアミド、ポリテトラフルオロエチレン、ポリフェニレンサルファイド、潤滑剤等を含む樹脂、あるいは、含油樹脂等が挙げられる。
このほか、チューブ１に接触するカバー７、ホース２、止めリング３、及び、コネクタ６は、互いに接触する部材を摩擦抵抗の低い樹脂同士で形成してもよく、また、軽くて摺動性が良い部材同士で組み合わせたものであってもよい。
【００２８】
第１カバー部材７１には、内側前端部に形成された雌ネジ部７１ａと、外側中央部に形成された環状凸部７１ｂと、外側後端部に形成された雄ネジ部７１ｃと、が形成されている。第１カバー部材７１の後端部側の内壁部内には、空間を介してチューブ１の前端部、及び、管状継手６１が配置されている。
【００２９】
第２カバー部材７２は、内側前端部に形成されたストッパ７２ａと、雄ネジ部７１ｃに螺合する雌ネジ部７２ｂと、後端部内側に形成された小径部７２ｃと、を有している。第２カバー部材７２の先端側寄りの内部には、隙間Ｓ２を介して止めリング３及びホース２が配置されている。このため、止めリング３及びホース２は、カバー７（第２カバー部材７２）に対して回動可能な状態に配置されている。
【００３０】
＜ジョイント部材及び付勢部材＞
図１に示すように、ジョイント部材８は、パイプ固定部装着部６ｄに装着した連結部材９を保持する舌片状の係止部６ｅが、径方向外側に弾性変形するのを抑制して、連結部材９の離脱を防止するための部材である。ジョイント部材８には、前側開口内縁に形成された段差部８ａと、後側開口内縁に形成された付勢部材設置部８ｂと、が形成されている。ジョイント部材８は、樹脂製の円筒状部材から成る。
付勢部材ＳＰは、ジョイント部材８を前方向（矢印ａ方向）に押圧するばね力を有する圧縮コイルばねから成る。
【００３１】
≪胴部≫
図１に示すように、胴部５は、先端のハンドピースヘッド（図示省略）と、接続部４との間に設けられて、術者が把時するグリップ部（把時部）を形成する部位である。胴部５は、所定の設定曲げ荷重以上の曲げ荷重を加えることで、曲げて塑性変形させることが可能に構成したものであってもよく、また、曲げ変形しないように構成したものであってもよい。その一例として屈曲形状を自在に調整できる胴部５を、図４を参照して説明する。
その場合、胴部５は、例えば、図４に示すように、ハンドピースヘッド（図示省略）と接続部４とを接続する連結部材９と、複数のパイプＰと、パイプＰを覆う被覆部材５１と、を備えて構成されている。胴部５は、屈曲形状を自在に調整でき、かつ、診療時において、屈曲形状を保持できる所定の設定曲げ強さを有している。
なお、曲げ変形しない胴部５の場合は、軸部を有する連動歯車と、この連動歯車に噛合して軸部を有する受歯車と、を備えて成る歯車機構を胴部５に内設したり、曲げ変形しないパイプを胴部５に内設したり、あるいは、胴部５を曲げ変形しない金属で形成したりしたものなどが挙げられる。
【００３２】
＜連結部材＞
連結部材９は、胴部５及びパイプＰをコネクタ６に連結するための接続部材である。連結部材９は、胴部５にインサート成形した状態に配置されたパイプＰの後端部寄りの位置にアウトサート成形した状態に固定された樹脂製の部材から成る。
【００３３】
≪パイプ≫
パイプＰは、チューブ１と同様に、流体通路として使用される複数の管体である。パイプＰは、例えば、４本のパイプＰ１，Ｐ２，Ｐ３，Ｐ４から成る。パイプＰ１〜Ｐ４は、前端がハンドピースヘッド（図示省略）に接続され、後端が接続部４を貫通してコネクタ６に装着した状態に固定された複数の管状部材から成る。パイプＰ１〜Ｐ４は、チューブ１１〜１４の軸心線上の先端側にコネクタ６を介在して連続配置されている。パイプＰ１〜Ｐ４は、チューブ１１〜１４によって供給・排気するロータ用などの圧縮空気を供給・排気したり、水等の液や空気を供給したりするための流路を形成している。このため、パイプＰ１〜Ｐ４は、チューブ１１〜１４と同じ合計本数である４本になっている。パイプＰ１〜Ｐ４は、例えば、ステンレス鋼、チタン合金、銅合金等の金属製のものから成り、歯科診療用ハンドピース１００の骨格部材の機能を備えている。
【００３４】
＜被覆部材及びハンドピースヘッド＞
被覆部材５１は、ハンドピースヘッド（図示省略）の後端部から接続部４の先端部までを覆うように形成された部材である。被覆部材５１は、例えば、金属よりも軽く、可撓性及び弾力性を有するシリコーン樹脂（Ｓｉ）等の弾性樹脂部材によって形成されている。被覆部材５１は、可撓性及び弾力性を有する材料であればよい。
不図示のハンドピースヘッドは、切削工具が着脱可能に取り付けられる部位である。
【００３５】
≪作用≫
次に、図１〜図４を参照しながら本実施形態に係る歯科診療用ハンドピース１００の作用を組付順に沿って説明する。
【００３６】
まず、図２に示すように、ホース２を第２カバー部材７２に挿通させる。次に、ホース２の先端部内側に内側リング３１を配置し、ホース２の先端部外側に外側リング３２を配置すると共に、外側リング３２を回動させて雄ネジ部３１ａに雌ネジ部３２ａを螺着させる。すると、ホース２の先端部は、内側リング３１の外側凸部３１ｂと、外側リング３２の内側凸部３２ｂとによって挟持されることで、止めリング３が固定される。
【００３７】
次に、４本のチューブ１１〜１４をホース２内に挿通させる。このとき、チューブ１１〜１４は、ホース２との間に隙間Ｓ１が形成される程度に細く形成され、また、ホース２が網目状に形成されて軽いため、挿通作業が行い易い。
【００３８】
続いて、第２カバー部材７２の雌ネジ部７２ｂに、第１カバー部材７１の雄ネジ部７１ｃを螺着させて、第２カバー部材７２の先端部に第１カバー部材７１を取り付ける。すると、止めリング３は、第２カバー部材７２の小径部７２ｃと、第１カバー部材７１の後端との間に介在されて、軸方向の移動範囲が規制される。
【００３９】
次に、コネクタ６のそれぞれの雌ネジ部６ａに、管状継手６１をそれぞれ螺着させる。続いて、コネクタ６外周面に、ジョイント部材８及び付勢部材ＳＰを外嵌させる。そして、前記した管状継手６１にチューブ１１〜１４の先端部を押し込んで外嵌させる。この場合、管状継手６１の外周面には、凹凸部６１ｂが形成されていることによって、チューブ１の先端が食い込むように連結されるため、チューブ１をしっかりと固定させることができる。
【００４０】
続いて、その管状継手６１が装着された部分のチューブ１１〜１４の外周面に、脱落防止クリップ１０を外嵌させて、４本のチューブ１１〜１４を束ねた状態にする。
次に、第１カバー部材７１の雌ネジ部７１ａに、コネクタ６の雄ネジ部６ｇを螺着させる。すると、歯科診療用ハンドピース１００は、図２に示すように、組み付けられる。
【００４１】
続いて、図４に示すように、付勢部材ＳＰの付勢力に抗して、ジョイント部材８に力を加えて後方に移動させた状態で、胴部５の後端部に設けられた連結部材９及びパイプＰを、パイプ装着孔６ｃに押し込むようにして装着させる。続いて、ジョイント部材８に加えた力を解放すると、付勢部材ＳＰの付勢によって、ジョイント部材８が前方に移動する。すると、図１に示すように、連結部材９の外周部前端が係止部６ｅに係止されることによって、胴部５が接続部４に連結される。
【００４２】
このようにして連結された胴部５は、ジョイント部材８が常に付勢部材ＳＰによって前方向に付勢されていることで、係止凸部６ｈを径方向外側に弾性変形して、係止部６ｅが連結部材９の外周部前端から離間するのを規制している。このため、連結部材９及び胴部５が接続部４から離脱するのを防止することができると共に、胴部５を接続部４に交換自在に係合・離脱させることを可能にしている。
【００４３】
このように構成された歯科診療用ハンドピース１００の後端部側には、網目状のホース２が配置されている。このため、術者が胴部５を持って歯科診療している際に、例えば、図３に示すように、ホース２が外周方向（矢印ｃ）に捩じれたとしても、ホース２の捩じれ方向の弾性力が弱いため、ホース２の捩じれが術者に伝わらないようにすることができる。たとえ、ホース２は、外周方向（矢印ｃ，ｄ方向）に捩じれたり、軸方向（矢印ａ，ｂ方向）に伸縮したり、軸心線に対して斜方向（矢印ｅ，ｆ方向）に揺動したとしても、ホース２の弾性力と、網目状のチューブ１による一定の方向性を持った復元力と、によって、元の状態に自動復帰する。
【００４４】
この場合、歯科診療用ハンドピース１００は、図１に示すように、流体通路または電気配線用流路として使用される複数のチューブ１と、複数のチューブ１を挿通したホース２と、複数のチューブ１の各前端部がそれぞれ接続されるコネクタ６と、ホース２の前端に固定された止めリング３と、止めリング３とコネクタ６とを覆うカバー７と、を備えた歯科診療用ハンドピース１００であって、止めリング３と、コネクタ６とは、軸方向に分離して配置されている。
【００４５】
これにより、歯科診療用ハンドピース１００は、術者が胴部５を持って回動させた場合、コネクタ６は胴部５及びチューブ１と一体に回動するものの、止めリング３及びホース２は、コネクタ６から分離して配置されているので、内側のチューブ１が回動しても、外側のホース２が回動して捩じれないようにすることができる。このため、歯科診療用ハンドピース１００は、ホース２の捩じれが術者に伝わらないようにすることができるので、ホース２による突っ張り感がなくなるため、操作時の操作感を良好にすることができる。その結果、術者の手首等にかかる負担を軽減すると共に、ホース２を安価な簡単な構造で回動可能にすることができる歯科診療用ハンドピース１００を提供することができる。
【００４６】
また、止めリング３は、カバー７内に進退・回転可能に配置され、カバー７は、コネクタ６の外周部に連結されていることが好ましい。
これにより、ホース２は、前後方向に伸縮する力、並びに、回転方向に捻れる力が作用したとしても、先端に固定された止めリング３が進退・回転可能に配置されているので、伸縮方向の力及び捻れ方向の力を吸収することができる。このため、術者は、歯科診療用ハンドピース１００に伸縮方向の力及び捻れ方向の力が付与されても、違和感を感じることなく操作することができる。
【００４７】
また、カバー７、ホース２、コネクタ６は、複数のチューブ１よりも摩擦抵抗（摩擦抵抗係数）の小さい部材で形成されていることが好ましい。
これにより、カバー７、ホース２、コネクタ６は、チューブ１よりも摩擦抵抗の小さい同士で構成されることによって、ホース２の進退・回転をよりスムーズに行えるようすることができる。
【００４８】
また、ホース２は、網目状に形成されていることが好ましい。
これにより、歯科診療用ハンドピース１００は、ホース２が網目状に形成されていることによって、ホース２を形成する樹脂材料の分量を削減して軽量化を図ることができると共に、ホース２に弾性変形する弾性力、及び、変形しても元の状態に戻る復元力を持たせることができる。このため、術者が歯科診療用ハンドピース１００を長時間使用しても、手が疲れないようにすることができる。
【００４９】
また、ホース２は、複数のチューブ１の外周部に隙間Ｓ１を介して外装されて、当該ホース２を捩じっても元の状態に自動復帰する弾性力を有していることが好ましい。
これにより、ホース２は、該ホース２を捩じっても元の状態に自動復帰する弾性力を有していることによって、術者が歯科診療用ハンドピース１００を操作している際に捩じれても、胴部５を回動させて戻す作業を行うことが不要となるため、便利であり、扱い易くすることができる。また、歯科診療用ハンドピース１００は、ホース２とチューブ１との間に隙間Ｓ１があることによって、両者を互いに滑り易く配置することができる。このため、術者は、歯科診療用ハンドピース１００を操作している最中に、ホース２の捩じれが気にならないようにすることができる。
【００５０】
また、ホース２は、前後方向に伸縮可能な樹脂製の部材によって形成されていることが好ましい。
これにより、歯科診療用ハンドピース１００は、ホース２に前後方向に伸縮する力が作用しても、ホース２の弾性で吸収することができるので、胴部５に前後方向に余分な力が付与されるのを抑制することができる。
【００５１】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００５２】
前記実施形態では、図１に示すように、４本のチューブ１１〜１４及びパイプＰ１〜Ｐ４を挙げて説明したが、チューブ１及びパイプＰの本数はこれに限定されるものではなく、適宜変更してもよい。
【００５３】
また、ホース２は、その一例として網目状の樹脂製の管状体を例に挙げて説明したが、弾性を有するものであればよく、その材質、構造等は特に限定されない。例えば、ホース２は、網目状あるいはクロス状に配置した繊維状の芯材に、網目を塞ぐように薄膜状の樹脂でコーティングしたものであってもよい。
また、ホース２は、網目状の芯材を有し、弾性を有するプラスチック製の耐圧チューブであってもよい。
また、ホース２は、螺旋状の芯材を有し、弾性を有する樹脂製ホースであってもよい。
また、ホース２は、蛇腹状ホースであってもよい。
【００５４】
また、チューブ１は、流体が流れる流体通路を例に挙げて説明したが、ハンドピースヘッド（図示省略）に設けた電動モータを回転させるための電力を供給する電気配線用通路であってもよい。
つまり、歯科診療用ハンドピース１００は、前記したエアタービンに限定されるものではなく、マイクロモータであってもよい。すなわち、歯科診療用ハンドピース１００は、ハンドピースヘッド内に電動モータを設置して、その電動モータに接続したリード線をパイプＰ、チューブ１内に挿通して、コネクタ６によってパイプＰ内のリード線と、チューブ１内のリード線と、を接続してもよい。さらに、歯科診療用ハンドピース１００は、スケーラであってもよい。
【００５５】
また、胴部５は、樹脂製の被覆部材５１から成るものを例に挙げて説明したが、金属製のものであってもよい。
【符号の説明】
【００５６】
１，１１，１２，１３，１４  チューブ
２      ホース
３      止めリング
６      コネクタ
７      カバー
１００  歯科診療用ハンドピース
Ｓ１，Ｓ２  隙間
【図１】
2019126537.tif 000003
【図２】
2019126537.tif 000004
【図３】
2019126537.tif 000005
【図４】
2019126537.tif 000006
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
流体通路または電気配線として使用される複数のチューブと、
前記複数のチューブを挿通したホースと、
前記複数のチューブの各前端部がそれぞれ接続されるコネクタと、
前記ホースの前端に固定された止めリングと、
前記止めリングと前記コネクタとを覆うカバーと、を備えた歯科診療用ハンドピースであって、
前記止めリングと、前記コネクタとは、前記コネクタの軸方向に分離して配置され、
前記止めリングは、前記カバー内に進退及び回転可能に配置され、
前記カバーは、前記コネクタの外周部に連結されていること、
を特徴とする歯科診療用ハンドピース。
【請求項２】
前記ホースは、網目状の部材で形成されていること、
を特徴とする請求項１に記載の歯科診療用ハンドピース。
【請求項３】
前記ホースは、前記複数のチューブの外周部に隙間を介して外装されて、当該ホースを捩じっても元の状態に自動復帰する弾性力を有していること、
を特徴とする請求項１または請求項２に記載の歯科診療用ハンドピース。
【請求項４】
前記ホースは、前後方向に伸縮可能な樹脂製の部材によって形成されていること、
を特徴とする請求項１から請求項３のうちのいずれか１項に記載の歯科診療用ハンドピース。
【手続補正２】
【補正対象書類名】明細書
【補正対象項目名】０００９
【補正方法】変更
【補正の内容】
【０００９】
前記課題を解決するため、本発明に係る歯科診療用ハンドピースは、流体通路または電気配線として使用される複数のチューブと、前記複数のチューブを挿通したホースと、前記複数のチューブの各前端部がそれぞれ接続されるコネクタと、前記ホースの前端に固定された止めリングと、前記止めリングと前記コネクタとを覆うカバーと、を備えた歯科診療用ハンドピースであって、前記止めリングと、前記コネクタとは、前記コネクタの軸方向に分離して配置され、前記止めリングは、前記カバー内に進退及び回転可能に配置され、前記カバーは、前記コネクタの外周部に連結されていることを特徴とする。
【手続補正３】
【補正対象書類名】明細書
【補正対象項目名】００２０
【補正方法】変更
【補正の内容】
【００２０】
＜止めリング＞
止めリング３は、ホース２の前端に固定された略円筒状の樹脂製部材である。止めリング３は、ホース２の前端部を内側から支持する内側リング３１と、この内側リング３１に外嵌されてホース２の前端部を外側から支持する外側リング３２と、を備えて構成されている。止めリング３と、コネクタ６とは、軸方向に離間して配置されている。止めリング３は、カバー７（第２カバー部材７２）内に進退及び回転可能に配置されている。
【手続補正４】
【補正対象書類名】明細書
【補正対象項目名】００４４
【補正方法】変更
【補正の内容】
【００４４】
この場合、歯科診療用ハンドピース１００は、図１に示すように、流体通路または電気配線用流路として使用される複数のチューブ１と、複数のチューブ１を挿通したホース２と、複数のチューブ１の各前端部がそれぞれ接続されるコネクタ６と、ホース２の前端に固定された止めリング３と、止めリング３とコネクタ６とを覆うカバー７と、を備えた歯科診療用ハンドピース１００であって、止めリング３と、コネクタ６とは、コネクタ６の軸方向に分離して配置されている。
【手続補正５】
【補正対象書類名】明細書
【補正対象項目名】００４６
【補正方法】変更
【補正の内容】
【００４６】
また、止めリング３は、カバー７内に進退及び回転可能に配置され、カバー７は、コネクタ６の外周部に連結されていることが好ましい。
これにより、ホース２は、前後方向に伸縮する力、並びに、回転方向に捻れる力が作用したとしても、先端に固定された止めリング３が進退及び回転可能に配置されているので、伸縮方向の力及び捻れ方向の力を吸収することができる。このため、術者は、歯科診療用ハンドピース１００に伸縮方向の力及び捻れ方向の力が付与されても、違和感を感じることなく操作することができる。
【手続補正６】
【補正対象書類名】明細書
【補正対象項目名】００４７
【補正方法】変更
【補正の内容】
【００４７】
また、カバー７、ホース２、コネクタ６は、複数のチューブ１よりも摩擦抵抗（摩擦抵抗係数）の小さい部材で形成されていることが好ましい。
これにより、カバー７、ホース２、コネクタ６は、チューブ１よりも摩擦抵抗の小さい同士で構成されることによって、ホース２の進退及び回転をよりスムーズに行えるようすることができる。
【手続補正７】
【補正対象書類名】明細書
【補正対象項目名】００４８
【補正方法】変更
【補正の内容】
【００４８】
また、ホース２は、網目状の部材で形成されていることが好ましい。
これにより、歯科診療用ハンドピース１００は、ホース２が網目状の部材で形成されていることによって、ホース２を形成する樹脂材料の分量を削減して軽量化を図ることができると共に、ホース２に弾性変形する弾性力、及び、変形しても元の状態に戻る復元力を持たせることができる。このため、術者が歯科診療用ハンドピース１００を長時間使用しても、手が疲れないようにすることができる。